(57)【特許請求の範囲】
【請求項１】
容器本体（１）の上面（４）に、半円形鉤状に形成され、かつ自由端（２）の先端が上方に向かって湾曲状に曲げられているフック（３）が固定されているハンガー式防虫剤用容器であって、
前記容器本体（１）の上面におけるフック（３）の自由端（２）の下端部（８）に対応する位置には、フック（３）の吊り掛け方向に対して前後方向に撓み得る可撓性のストッパー（６）が、前記フック（３）の内部に向かって傾斜して立ち上がるようにして設けられており、
前記ストッパー（６）は、該ストッパー（６）が防虫剤用容器を吊り掛けるためのバー（５）によって押圧されていないときの状態にて、ストッパー（６）の先端（７）とフック（３）の自由端（２）の下端部（８）との距離が、バー（５）を通過し得ない間隔に形成されており、
しかも、防虫剤用容器におけるフック（３）をバー（５）に対して押圧しながら押し込むと、フック（３）の自由端（２）の先端が上方に向かって僅かに撓むと共に、ストッパー（６）がフック（３）の内側に向かって曲がり、次いでバー（５）がストッパー（６）を越えてフック（３）の内部に嵌合してフック（３）がバー（５）に吊り掛けられた状態になり、更に前記ストッパー（６）がその弾性によって元の状態に復帰することを特徴とする
ハンガー式防虫剤用容器。
【発明の詳細な説明】
【０００１】
【発明の属する技術分野】
本発明は、洋服だんす等のバーに吊り掛けて使用するハンガー式防虫剤用容器に関するものであり、該容器を簡単に洋服だんす等のバーに吊り掛けるこをができ、又吊り掛けた後には該容器がバーから容易に外れることのないハンガー式防虫剤用容器を提供するものである。
【０００２】
【従来の技術】
一般にハンガー式防虫剤用容器は、図４に示すように、防虫剤用容器を洋服だんす等のバーに吊り掛けるためのフック１０を、薬剤を収納してある容器本体１１の上面１２に具備してなるものである。このフック１０は、その一端が容器本体１１に固定されており、その他端が自由端１３になっている単なる鉤状のものであって、フック１０の湾曲内に洋服だんす等のバーを通過させて吊り掛けるようにしてある。
【０００３】
このハンガー式防虫剤用容器において、自由端１３になっているフック１０の他端と容器本体１１の上面１２との間の距離がバーの径よりはるかに大きいときには、防虫剤用容器をバーに簡単に吊り掛けることができるが、このような防虫剤用容器はバーから簡単に外れ易いという欠点を有する。
【０００４】
又、フック１０の他端である自由端１３と容器本体１０の上面との間の距離が、バーの径とほぼ等しいか、或はバーの径よりも小さいときには、フック１０の湾曲部を押し広げながら防虫剤用容器をバーに吊り掛けなければならなく、防虫剤用容器の吊り掛けを簡単に行なうことができない。
【０００５】
【発明が解決しようとする課題】
従って本発明の目的は、ハンガー式防虫剤用容器において、フック１０の他端１３と容器本体１１の上面１２との間の距離が、該防虫剤用容器を洋服だんす等のバーに簡単に吊り掛けることができる大きさのものであっても、吊り掛けた後にはバーから外れ難いフック構造を有する防虫剤用容器を提供することにある。
【０００６】
【課題を解決するための手段】
上記の目的は、以下の構成による本発明のハンガー式防虫剤用容器によって達成される。
すなわち本発明のハンガー式防虫剤用容器は、容器本体１の上面４に、半円形鉤状に形成され、かつ自由端２の先端が上方に向かって湾曲状に曲げられているフック３が固定されているハンガー式防虫剤用容器であって、
前記容器本体１の上面におけるフック３の自由端２の下端部８に対応する位置には、フック３の吊り掛け方向に対して前後方向に撓み得る可撓性のストッパー６が、前記フック３の内部に向かって傾斜して立ち上がるようにして設けられており、
前記ストッパー６は、該ストッパー６が防虫剤用容器を吊り掛けるためのバー５によって押圧されていないときの状態にて、ストッパー６の先端７とフック３の自由端２の下端部８との距離が、バー５を通過し得ない間隔に形成されており、
しかも、防虫剤用容器におけるフック３をバー５に対して押圧しながら押し込むと、フック３の自由端２の先端が上方に向かって僅かに撓むと共に、ストッパー６がフック３の内側に向かって曲がり、次いでバー５がストッパー６を越えてフック３の内部に嵌合してフック３がバー５に吊り掛けられた状態になり、更に前記ストッパー６がその弾性によって元の状態に復帰する
ハンガー式防虫剤用容器
からなるものである。
【０００９】
【発明の実施の形態】
本発明のハンガー式防虫剤用容器は、ハンガー式防虫剤用容器のフックの自由端側に対応する位置の容器本体の上面に、プラスチック、ゴム等の可撓性素材よるストッパーを立設してなるものであり、これによって洋服だんすに衣料を出し入れするときの手がバーに吊り掛けられた防虫剤用容器に触れる等によって、該防虫剤用容器が左，右に大きく揺れることがあっても、防虫剤用容器のフックはバーから外れることがない。
【００１０】
また、本発明のハンガー式防虫剤用容器は、容器本体の上面に上記のストッパーを設けることにより、フックの自由端と容器本体上面との間の距離を十分に大きくすることが可能になり、これによって、ハンガー式防虫剤用容器を簡単にバーに吊り掛けることができる。
【００１１】
更に本発明のハンガー式防虫剤用容器においては、上記フックを該フックの自由端の先端を上方に向かって湾曲状に曲げた構成にすることにより、防虫剤用容器をバーに吊り掛けるときにフックの先端部がスムーズにバーを越えられるので、防虫剤用容器をバーに吊り掛ける作動がストッパーによって邪魔されることがない。
【００１２】
更に本発明のハンガー式防虫剤用容器においては、前記ストッパーをフックの内側に向かって傾斜させて設けてあることにより、防虫剤用容器をバーに吊り掛けるときに、この防虫剤用容器を吊り掛けるためのバーが該防虫剤用容器のストッパーをフック内の下方に撓ませるので、防虫剤用容器をバーに吊り掛ける作動がストッパーによって邪魔されることがない。
【００１３】
【実施例】
以下、本発明のハンガー式防虫剤用容器の具体的な構成を、図面に基づいて説明する。
【００１４】
図１は、本発明のハンガー式防虫剤用容器の１実施例品を示すものであり、薬剤を収納するための容器本体１の上面に、一端が容器本体１に固定され、他端が自由端２になっている半円形鉤状のフック３が設けられている。
【００１５】
前記フック３の自由端２と容器本体１の上面４との間の距離、すなわちフック３の開口部は、防虫剤用容器を吊り掛けるためのバー、例えば洋服だんす等のバー５を、容易に通過し得る大きさになっている。
【００１６】
又容器本体１の上面４には、該容器本体１の上面４と前記フック３の自由端２の先端部との間に、容器本体１の上面４に対して鋭角をなすようにして、フック３の内側に向かって傾斜して立ち上がっているストッパー６が設けられている。
【００１７】
このストッパー６は、例えばプラスチックあるいはゴム材料等の可撓性素材によって形成されており、フック３の吊り掛け方向に対して前後に撓むことができる。
【００１８】
上記の構造によるハンガー式防虫剤用容器は、図２に示すように、この防虫剤用容器におけるフック３を、防虫剤用容器を吊り掛けるためのバー５に対して押圧しながら押し込むと、フック３の自由端２の先端が上方に向かって僅かに撓むと共に、前記ストッパー６がフック３の内側に向かって曲がり、次いでバー５がストッパー６を越えてフック３の内部に嵌合してフック３がバー５に吊り掛けられた状態になり、更に前記ストッパー６がその弾性によって元の状態に復帰する。
【００１９】
しかして、ハンガー式防虫剤用容器におけるストッパー６が元の状態に戻ると、フック３内に嵌合したバー５は、ストッパー６がフック３の開口部を狭くするように作用する。これによって、防虫剤用容器が何らかの理由で大きく揺れることがあっても、フック３から外れることがない。
【００２０】
又、容器本体１に収納した薬剤が消費された後や、あるいは他の理由により、ハンガー式防虫剤用容器をバーから取り外す必要が生じた場合には、容器本体１またはフック３を持って防虫剤用容器を引っ張ると、バー５がストッパー６を外側に向かって撓ませるので、バー５がストッパー６を乗り越える。これによって防虫剤用容器がフック３の自由端２側から外れる。
【００２１】
前記フック３の自由端２の先端は、湾曲状上向きに曲げられており、これによってフック３の自由端２をバー５に嵌合し易くしてある。
【００２２】
上記の構成によるハンガー式防虫剤用容器の容器本体１およびフック３は、一般にはプラスチックで形成されているが、これに限定されるものではない。
【００２３】
前記ストッパー６の長さおよびその取り付け位置は、通常の状態、すなわちバー５によって押圧されてない状態で、該ストッパー６の先端７とフック３の自由端２の下端部８との距離が、バーが通過し得ない間隔になるように設定されている。
【００２４】
前記したように、洋服だんす等のバー５がハンガー式防虫剤用容器のフック３に嵌合し、ストッパー６が元の状態に戻った後では、バー５はフック３から容易に抜け出ることがない。
【００２５】
図３は、ハンガー式防虫剤用容器の参考品であり、容器本体１の上面４に、ストッパー６がほぼ垂直に立ち上がって設けられている。このために、バー５にフック３を吊り掛けるときには、図１に示されるハンガー式防虫剤用容器に比較して、フック３をバー５に嵌合させるときの力をより多く必要とするが、バー５からフックを取り外す操作が、より容易になる。
【００２６】
【発明の効果】
以上に説明した本発明のハンガー式防虫剤用容器によれば、容器本体１の上面４におけるフック３の自由端２の下端部８に対応する位置に、フック３の吊り掛け方向に対して前後方向に撓み得る可撓性のストッパー６が、前記フック３に対して内部に向かって傾斜して立ち上がるようにして設けられているので、防虫剤用容器を吊り掛けるためのバー５に対して防虫剤用容器のフック３を押圧しながら押し込むと、フック３の自由端２の先端が上方に向かって撓むと共に、ストッパー６がフック３の内側に向かって曲がり、続いて、バー５がストッパー６を越えてフック３の内部に嵌合するので、フック３を介して洋服だんす等のバー５に防虫剤用容器を容易に吊り掛けて使用することができる。
【００２８】
又、本発明のハンガー式防虫剤用容器は、フック３の吊り掛け方向に対して前後方向に撓み得る可撓性のストッパー６が、前記フック３の内部に向かって傾斜して立ち上がるようにして設けられているので、洋服だんす等のバー５に防虫剤用容器のフック３を吊り掛けた後にはストッパー６がその弾性によって元の状態に復帰することと、ストッパー６の先端７とフック３の自由端２の下端部８との距離がバー５を通過し得ない間隔に形成されていることとが相俟って、防虫剤用容器をバー５に吊り掛けた後に該防虫剤用容器が大きく揺れるようなことがあっても、防虫剤用容器がバー５から外れるのを抑止する作用を奏する。
【図面の簡単な説明】
【図１】  本発明のハンガー式防虫剤用容器の１実施例品を示す正面図である。
【図２】  図１に示すハンガー式防虫剤用容器の作用を説明する正面図である。
【図３】  ハンガー式防虫剤用容器の参考品を示す正面図である。
【図４】  従来のハンガー式防虫剤用容器を示す正面図である。
【符号の説明】
１・・・・防虫剤用容器本体
２・・・・フック３の自由端
３・・・・フック
４・・・・容器本体１の上面
５・・・・防虫剤用容器を吊り掛けるためのバー
６・・・・容器本体１の上面４に設けてあるストッパー
７・・・・ストッパー６の先端
８・・・・フック３の自由端２の下端部
【図１】
0003955347.tif 000002
【図２】
0003955347.tif 000003
【図３】
0003955347.tif 000004
【図４】
0003955347.tif 000005